(57)【要約】レンジフードは逆椀状に形成された上フードと、上フードの下方を覆う開口面を有する下フードとを備えている。そして開口面が使用者に近い手前側の手前側開口面と、使用者から遠い奥側の奥側開口面とに２分される。手前側開口面の外周および奥側開口面の外周から鉛直方向に延ばした線分と、下フードとに囲まれた領域をそれぞれ手前側捕集部、奥側捕集部としたとき、手前側捕集部の容積を奥側捕集部の容積より大きくする。
2013057898.tif 000002
【特許請求の範囲】
【請求項１】
逆椀状に形成された上フードと、
前記上フードの下方を覆う開口面を有する下フードとを備え、
前記下フードの中央部に吸込口が形成され、前記上フードと前記下フードとの間の空間に排気用のファンとモータとが設けられたレンジフードであって、
前記開口面が使用者に近い手前側の手前側開口面と前記使用者から遠い奥側の奥側開口面とに２分され、前記手前側開口面の外周および前記奥側開口面の外周から鉛直方向に延ばした線分と、前記下フードとに囲まれた領域をそれぞれ手前側捕集部、奥側捕集部としたとき、前記手前側捕集部の容積が前記奥側捕集部の容積より大きいことを特徴とするレンジフード。
【請求項２】
前記下フードは前記上フードに対して凸の錐体形状であることを特徴とする請求項１記載のレンジフード。
【請求項３】
前記錐体形状を形成する前記奥側から前記手前側に向かう傾斜面に沿って前記ファンと前記モータとが配置されたことを特徴とする請求項２記載のレンジフード。
【請求項４】
前記傾斜面の最も低い位置にオイル捕集部を設けたことを特徴とする請求項３記載のレンジフード。
【発明の詳細な説明】
【技術分野】
【０００１】
本発明は、レンジフードに関する。
【背景技術】
【０００２】
調理時に発生する油煙などを捕集して屋外に排気する従来のレンジフードは、上側フードと、下側フードとにより構成されている。ここで上側フードは、下面を開口した逆椀状であり、側面等に吐出口が形成されている。下側フードは、上側フードの下面開口を覆う（例えば、特許文献１参照）。【０００３】
以下、従来のレンジフードの断面図である図２を参照しながら説明する。図２に示すようにレンジフードは、上側フード１０２と、仕切板１０６と、吸込口１０７と、下側フード１０８とを備えている。ここで上側フード１０２は、下面を開口した逆椀状であり側面等に吐出口１０１が形成されている。仕切板１０６は、上側フード１０２内を電装部品の設けられる電装室１０３と、送風機１０４の設けられる送風機室１０５とに仕切る。吸込口１０７は、送風機１０４に連通する。下側フード１０８は、上側フード１０２の下面開口を覆う。【０００４】
以上のように構成されたレンジフードの動作について説明する。送風機１０４が回転すると、吸込口１０７から吸い込まれた台所内において調理時に発生する油煙などは、下側フード１０８、吸込口１０７、送風機１０４、および送風機室１０５を通って吐出口１０１に運ばれ屋外に排気される。【０００５】
このような従来のレンジフードにおいては、浅形レンジフード等、捕集部が浅い構造の場合、使用者の手前側の捕集部から油煙が吸い込まれず溢れ、油煙の捕集効率が低下するという課題があった。
【先行技術文献】
【特許文献】
【０００６】
【特許文献１】特許第３３２９６９３号公報
【発明の概要】
【０００７】
本発明のレンジフードは逆椀状に形成された上フードと、上フードの下方を覆う開口面を有する下フードとを備えている。またレンジフードは、下フードの中央部に吸込口が形成され、上フードと下フードとの間の空間に排気用のファンとモータとが設けられている。そして開口面が使用者に近い手前側の手前側開口面と、使用者から遠い奥側の奥側開口面とに２分される。手前側開口面の外周および奥側開口面の外周から鉛直方向に延ばした線分と、下フードとに囲まれた領域をそれぞれ手前側捕集部、奥側捕集部としたとき、手前側捕集部の容積を奥側捕集部の容積より大きくする。
【０００８】
吸込口から吸い込まれた油煙は、手前側捕集部の容積が奥側捕集部の容積より大きいため手前側捕集部から溢れることがなく、油煙の捕集効率が低下することがない。
【図面の簡単な説明】
【０００９】
【図１】図１は、本発明の実施の形態のレンジフードの側面図である。
【図２】図２は、従来のレンジフードの断面図である。
【発明を実施するための形態】
【００１０】
以下、本発明の実施の形態について図面を参照しながら説明する。
【００１１】
（実施の形態）
図１は、本発明の実施の形態のレンジフードの側面図である。図１に示すように本発明の実施の形態のレンジフードは、上フード１と、下フード２とを備えている。下フード２の略中央部には吸込口３が設けられ、廃ガス等は吸込口３から吸い込まれる。吸込口３手前には、油煙の油を捕集するフィルター４が着脱自在に設けられている。ここでは一例としてフィルター４は、ねじにより着脱される。
【００１２】
上フード１は、薄型の逆椀状に形成されている。台所内の調理時等に発生した廃ガス、油煙、水蒸気、臭気等を受け止める下フード２は、上フード１の下方を覆い、開口面２ａを有する。また下フード２により囲まれた領域は、排気する油煙の捕集部１１である。
【００１３】
そして開口面２ａは使用者１２に近い手前側１３の手前側開口面２ｂと、使用者１２から遠い奥側１４の奥側開口面２ｃとに２分される。手前側開口面２ｂの外周および奥側開口面２ｃの外周から鉛直方向１５に延ばした線分と、下フード２とに囲まれた領域をそれぞれ手前側捕集部１１ａ、奥側捕集部１１ｂとしたとき、手前側捕集部１１ａの容積を奥側捕集部１１ｂの容積より大きくする。
【００１４】
なお、フィルター４の代わりに例えば怪我防止用に金網状のガードを用いてもよい。
【００１５】
また、上フード１と下フード２との間の空間１０に、排気用のファン５とモータ６とが備えられている。上フード１の背面には、吸込口３から吸い込まれた廃ガス等を排気するアダプター７が設けられている。ファン５は、例えばターボファンである。そして吸込口３と、アダプター７とを結ぶ排気経路が形成されている。ターボファンは、シロッコファンに比べ、価格が安いとともにファン効率が高い。
【００１６】
また、下フード２と吸込口３とは、使用者１２に対して奥側１４より手前側１３に向かって上方に傾斜する形状とする。すなわち下フード２は、上フード１に対して凸の錐体形状である。そして、錐体形状を形成する奥側１４から手前側１３に向かう傾斜面２ｄに沿ってフィルター４、ファン５、およびモータ６が配置されている。
【００１７】
なお傾斜の角度としては、下フード２の底面と上フード１の天面との間の高さに、ファン５とモータ６とが収まる程度に傾けた角度ならどんな角度でも良い。
【００１８】
なお、ファン５はターボファンとしたが、ケーシング付のシロッコファン等でもよい。またアダプター７は、上フード１の背面にある開口部８に取り付けられている。ファン５の傾斜角度と、アダプター７のシャッター９の開き角度とを合わせることにより、排気経路の抵抗が低減され、風量の確保、および騒音低減が図られる。ただし、アダプター７は上フード１の背面だけでなく、側面、または上面等の開口に取り付けられてもよい。
【００１９】
このようなレンジフードでは、使用者１２の前方からの油煙が、使用者１２に対して奥側１４より手前側１３に向かって上方に傾斜した下フード２に沿って、吸込口３に吸い込まれる。そのため、下フード２の傾斜部の捕集部１１が深くなり、浅形レンジフード等の捕集部１１が浅い構造であっても、油煙の捕集効率の低下が防止される。
【００２０】
また、ファン５とモータ６とが、使用者１２に対して奥側１４より手前側１３に向かって上方に傾斜されている。そして使用者１２の前方からの油煙が、使用者１２に対して奥側１４より手前側１３に向かって上方に傾斜したファン５に吸い込まれるため、ファン５の吸込み面が斜め前下方を向き、吸込口３の位置が前方に移動する。そのため、浅形レンジフード等の捕集部１１が浅い構造であっても、より油煙の捕集効率の低下が防止される。
【００２１】
また図１に示すように傾斜面２ｄの最も低い位置２ｅに、オイル捕集部１６が設けられている。下フード２および上フード１に付着した油はオイル捕集部１６に流れ込むため、油の回収効率が向上するとともに、レンジフード周辺が油により汚されることがない。
【産業上の利用可能性】
【００２２】
本発明は、浅形レンジフード等の捕集部が浅い構造であっても、整流板等の部品を使用することなく、捕集効率向上を図るレンジフード等として有用である。
【符号の説明】
【００２３】
１    上フード
２    下フード
２ａ    開口面
２ｂ    手前側開口面
２ｃ    奥側開口面
２ｄ    傾斜面
２ｅ    最も低い位置
３    吸込口
４    フィルター
５    ファン
６    モータ
７    アダプター
８    開口部
９    シャッター
１０    空間
１１    捕集部
１１ａ    手前側捕集部
１１ｂ    奥側捕集部
１２    使用者
１３    手前側
１４    奥側
１５    鉛直方向
１６    オイル捕集部
【図１】
2013057898.tif 000003
【図２】
2013057898.tif 000004
【国際調査報告】
2013057898.tif 000005
2013057898.tif 000006
2013057898.tif 000007
2013057898.tif 000008